(57)【特許請求の範囲】
【請求項１】
上面開口の本体ケースと、
前記本体ケースに着脱自在に設けられ、前記本体ケースを仕切ることで紙幣を収納する複数の紙幣収納部を形成し、前記本体ケースに対する仕切位置が変更可能な仕切板と、
前記本体ケースに設けられた支持部材に取り付けられ、前記支持部材に対する取付位置が複数の前記紙幣収納部が並ぶ方向に変更可能であって、前記紙幣収納部に収納された紙幣を押える札押えと、
を具備し、
前記支持部材は、複数の前記紙幣収納部が並ぶ方向に並ぶ複数の嵌合部を有し、
前記札押えは、前記嵌合部に嵌合する嵌合孔を有する上アーム部と、この上アーム部から前記支持部材を挟持可能な距離だけ離反した弾性のある下アーム部とにより前記支持部材に着脱自在に取り付けられ、
前記上アーム部の先端の下部には、手前側から奥側に向うに従い高くなるように形成された傾斜面とを有する紙幣収納箱。
【請求項２】
前記嵌合部は、その先端に位置付けられ前記札押えの取付方向に手前側から奥側に向うに従い高くなるように形成された傾斜面を有する請求項１記載の紙幣収納箱。
【発明の詳細な説明】
【０００１】
【発明の属する技術分野】
本発明は、紙幣収納箱に関する。
【０００２】
【従来の技術】
一般に、紙幣を収納する紙幣収納箱を備えるドロワ装置は、ＥＣＲ（Electronic Cash Register：電子式キャッシュレジスタ）やＰＯＳ（Point of Sales：販売時点情報管理）端末等の商品販売データ処理装置による商品販売処理に連動して金銭を出し入れするための装置である。
【０００３】
この種のドロワ装置は、例えば、ＥＣＲに接続されており、紙幣収納箱であるマネーケースが着脱自在に収納された上面開口のキャッシュボックスと、このキャッシュボックスを引出自在に収納するキャビネットとを備え、ＥＣＲ側の商品販売処理に伴う締め処理に連動してキャッシュボックスを開放する構造になっている。
【０００４】
マネーケース１００には、図６に示すように、高額紙幣や商品券等の取引に関わる券を収納する券収納部１０１と高額紙幣以外の紙幣を金種別に収納する札ケース１０２とが仕切られた状態で設けられている。そして、券収納部１０１の上部には、硬貨を金種別に収納するコインケース（図示せず）が着脱自在に収納されている。
【０００５】
ここで、札ケース１０２には、複数の紙幣収納部１０３が複数の仕切板１０４によって仕切られた状態で設けられており、これらの仕切板１０４は、札ケース１０２の内部に形成された複数の溝部１０５に各々嵌合し、札ケース１０２に対し着脱自在に設けられている。また、複数の紙幣収納部１０３には、上下方向に回動自在に軸支された複数の札押え１０６が札ケース１０２に固定されて各々設けられている。
【０００６】
このような構成において、旧紙幣とサイズの異なる新紙幣が発行された場合や割引券等の収納用に紙幣収納部１０３を使用する場合等には、新紙幣や割引券等のサイズに応じて札ケース１０２に対する仕切板１０４の仕切位置（仕切板１０４を取り付けるために使用する溝部１０５）が変えられ、紙幣収納部１０３の収納スペースが変更される。
【０００７】
【発明が解決しようとする課題】
しかしながら、札ケース１０２に対する札押え１０６の取付位置は固定されており、固定された札押え１０６の回動動作に干渉する位置に仕切板１０４を設けることができないため、新紙幣や割引券等のサイズより大きく紙幣収納部１０３の収納スペースを確保する場合がある。このように新紙幣や割引券等のサイズに適した紙幣収納部１０３の収納スペースを確保することができないという問題がある。
【０００８】
また、仕切板１０４の取付位置によっては、札押え１０６が操作者から見て左右どちらかに片寄ってしまい紙幣や割引券等の中央付近を押えられないことがあり、紙幣や割引券等が多く積層されると札押え１０６に押えられていないそれらの片側部分が浮いてきてしまい、操作者が紙幣や割引券等の取り出しをスムーズに行うことが難しくなるという問題もある。
【０００９】
本発明の目的は、紙幣等のサイズに適した紙幣収納部の収納スペースを確保することができ、かつ、紙幣収納部に収納された紙幣等を確実に押えることができる紙幣収納箱を得ることである。
【００１０】
【課題を解決するための手段】
本発明の紙幣収納箱は、上面開口の本体ケースと、前記本体ケースに着脱自在に設けられ、前記本体ケースを仕切ることで紙幣を収納する複数の紙幣収納部を形成し、前記本体ケースに対する仕切位置が変更可能な仕切板と、前記本体ケースに設けられた支持部材に取り付けられ、前記支持部材に対する取付位置が複数の前記紙幣収納部が並ぶ方向に変更可能であって、前記紙幣収納部に収納された紙幣を押える札押えと、を具備し、前記支持部材は、複数の前記紙幣収納部が並ぶ方向に並ぶ複数の嵌合部を有し、前記札押えは、前記嵌合部に嵌合する嵌合孔を有する上アーム部と、この上アーム部から前記支持部材を挟持可能な距離だけ離反した弾性のある下アーム部とにより前記支持部材に着脱自在に取り付けられ、前記上アーム部の先端の下部には、手前側から奥側に向うに従い高くなるように形成された傾斜面とを有する。
【００１１】
したがって、仕切板で本体ケースを仕切って複数の紙幣収納部を形成し、複数の紙幣収納部が並ぶ方向に取付位置が変更可能な札押えを本体ケースの支持部材に取り付けることによって、紙幣等のサイズに応じて本体ケースに対する仕切板の仕切位置を変更する場合等、仕切板の仕切位置の変更に応じて札押えの取付位置を変更することが可能になり、また、支持部材１３に対する札押え１５の着脱を簡単に行うことができ、かつ、札押え１５の取付位置を簡単に変更することができる。
【００１２】
【発明の実施の形態】
本発明の実施の一形態を図１ないし図５に基づいて説明する。本実施の形態は、ドロワ装置が備える紙幣収納箱であるマネーケースに適用した一例である。なお、以下の説明において方向を述べる際には、操作者から見た方向を適用する。
【００１３】
図１はドロワ装置１をＥＣＲ３と共に概略的に示す外観斜視図である。ドロワ装置１は、薄型偏平な筐体であって前面に開口部２ａを有するキャビネット２を備え、このキャビネット２の上面に載置されたＥＣＲ３に接続されている。キャビネット２には、上面開口のキャッシュボックス４がキャビネット２の開口部２ａから引出自在に収納されている。
【００１４】
図２はキャッシュボックス４の構造を概略的に示す分解斜視図、図３はマネーケース５の構造を概略的に示す分解斜視図である。キャッシュボックス４には、筐体状に形成された上面開口のマネーケース５が着脱自在に収納されている。このマネーケース５には、高額紙幣や商品券等の取引に関わる券を収納する券収納部６と高額紙幣以外の紙幣を金種別に収納する本体ケースである上面開口の札ケース７とが仕切られた状態で設けられており、券収納部６が手前側に位置付けられ、札ケース７が奥側に位置付けられている。そして、券収納部６の上部には、硬貨を金種別に収納するコインケース８が着脱自在に収納されている。このコインケース８には、硬貨を金種別に収納するための複数の硬貨収納部９が仕切られた状態で設けられている。
【００１５】
また、札ケース７には、紙幣を金種別に収納するための複数の紙幣収納部１０が複数の仕切板１１によって仕切られた状態で設けられている。これらの仕切板１１は、札ケース７の内部に形成された複数の溝部１２に各々嵌合し、札ケース７に対し着脱自在に設けられている。また、札ケース７の奥側端部には、複数の紙幣収納部１０が並ぶ方向に伸びる板状の支持部材１３が複数の紙幣収納部１０の上方に位置付けられ、ネジ１４で札ケース７に対し着脱自在に設けられている。支持部材１３には、紙幣収納部１０毎に紙幣を押える複数の札押え１５が着脱自在に設けられている。ここで、支持部材１３の上面には、複数の円柱状の嵌合部１６が長手方向（複数の紙幣収納部１０が並ぶ方向）へライン状に一定間隔で設けられている。なお、支持部材１３や札押え１５等は、樹脂（例えばプラスチック）等で形成されており、弾性を有している。
【００１６】
図４は札押え１５を拡大して示す外観斜視図、図５はその取付構造を拡大して示す縦断側面図である。札押え１５には、支持部材１３を挟持して支持部材１３に取り付けられるフック部１７が設けられており、このフック部１７には、支持部材１３の２つの嵌合部１６に嵌合する２つの嵌合孔１８が形成された上アーム部１９とこの上アーム部１９から支持部材１３を挟持可能な距離だけ離反した下アーム部２０とが設けられている。なお、札押え１５は、フック部１７の２つの嵌合孔１８が支持部材１３の２つ嵌合部１６に嵌合することで支持部材１３に取り付けられ、嵌合孔１８が支持部材１３の２つの嵌合部１６から外されることで支持部材１３から取り外される。これが、支持部材１３に対して札押え１５を着脱自在にするための着脱機構である。そして、支持部材１３が複数の嵌合部１６をライン状に備えているので、フック部１７の２つの嵌合孔１８を嵌合させる２つの嵌合部１６を変えることで、札押え１５の取付位置が自在に変更される。これが、支持部材１３に対する札押え１５の取付位置を紙幣収納部１０が並ぶ方向に自在に変更するための取付位置変更機構である。
【００１７】
フック部１７には、紙幣を押えるために紙幣を上方から押圧する押圧部２１が支持部２２を支点として上下方向に回動自在に軸支され設けられている。フック部１７と押圧部２１との間には、引張バネ２３が掛け渡されて設けられており、この引張バネ２３が押圧部２１に紙幣を押圧する押圧力及び跳ね上げ開放力を付与する構造になっている。これにより、押圧部２１は紙幣を押える押圧位置及び押圧状態から紙幣を開放する開放位置に位置付けられる。
【００１８】
また、上アーム部１９の先端の下部には、手前側から奥側に向かうに従い高くなるように形成された傾斜面１９ａが設けられており、さらに、支持部材１３の嵌合部１６の先端には、札押え１５の取付方向に手前側から奥側へ向かうに従い高くなるように形成された傾斜面１６ａが設けられている。
【００１９】
なお、札押え１５が支持部材１３に取り付けられた状態で、下アーム部２０と支持部材１３との間には、あそび程度の狭い空間部２４が設けられている。この空間部２４は、支持部材１３に対する札押え１５の着脱を可能にするための空間である。
【００２０】
このような構成において、操作者が紙幣収納部１０の収納スペースを変更する場合における変更作業について説明する。
【００２１】
まず、操作者は支持部材１３から札押え１５を取り外す。このとき、操作者によって札押え１５のフック部１７に対し力が下方に加えられると、フック部１７の上アーム部１９の根元部Ａ（図５参照）が支点となって、上アーム部１９の先端が上方に移動し、空間部２４と下アーム部２０の弾性とによって上アーム部１９の嵌合孔１８が支持部材１３の嵌合部１６から外れる。ここで、操作者によって支持部材１３から手前側にフック部１７が引き抜かれると、フック部１７の上アーム部１９先端の傾斜面１９ａが２つの嵌合部１６の傾斜面１６ａに当接し、上アーム部１９の先端が２つの嵌合部１６の傾斜面１６ａによってスムーズに２つの嵌合部１６の手前側に案内され、札押え１５が支持部材１３から取り外される。
【００２２】
次に、操作者は、札ケース７からネジ１４を外して支持部材１３を取り外し、溝部１２から仕切板１１を取り外して、収納する紙幣のサイズに合わせて溝部１２に仕切板１１を取り付け、その後、札ケース７に支持部材１３を取り付ける。このようにして、札ケース７に対する仕切板１１の仕切位置は紙幣のサイズに合わせて変更される。
【００２３】
最後に、操作者は紙幣収納部１０の中央付近に札押え１５を位置付けて支持部材１３に取り付ける。このとき、札押え１５のフック部１７が上アーム部１９と下アーム部２０とで支持部材１３を挟みながら奥側に移動すると、フック部１７の上アーム部１９先端の傾斜面１９ａが２つの嵌合部１６の傾斜面１６ａに当接し、上アーム部１９の先端が２つの嵌合部１６の傾斜面１６ａによって２つの嵌合部１６の奥側へ案内され、上アーム部１９の２つの嵌合孔１８が支持部材１３の２つの嵌合部１６に各々嵌合して、札押え１５が支持部材１３に取り付けられる。このようにして、支持部材１３に対する札押え１５の取付位置は札ケース７に対する仕切板１１の仕切位置の変更に応じて変えられる。
【００２４】
このように本実施の形態では、仕切板１１で札ケース７を仕切って複数の紙幣収納部１０を形成し、複数の紙幣収納部１０が並ぶ方向に取付位置が変更可能な札押え１５を札ケース７の支持部材１３に取り付けることで、紙幣のサイズに応じて札ケース７に対する仕切板１１の仕切位置を変更する場合等、仕切板１１の仕切位置の変更に応じて支持部材１３に対する札押え１５の取付位置を変更することが可能になるので、紙幣のサイズに適した紙幣収納部１０の収納スペースを確保することができ、かつ、紙幣収納部１０に収納された紙幣を確実に押えることができる。
【００２５】
また、本実施の形態では、支持部材１３は、複数の紙幣収納部１０が並ぶ方向に並ぶ複数の嵌合部１６を有し、札押え１５は、嵌合部１６に嵌合する嵌合孔１８を有し、支持部材１３に着脱自在に取り付けられているため、支持部材１３に対する札押え１５の着脱を簡単に行うことができ、かつ、札押え１５の取付位置を簡単に変更することができる。
【００２６】
また、本実施の形態では、嵌合部１６は、その先端に位置付けられ札押え１５の取付方向に手前側から奥側に向うに従い高くなるように形成された傾斜面１６ａを有するため、支持部材１３に対する札押え１５の着脱をスムーズに行うことができる。
【００２７】
なお、本実施の形態においては、支持部材１３や札押え１５等を樹脂（例えばプラスチック）で形成しているが、これに限るものではなく、例えば他の材料で形成しても良い。
【００２８】
また、本実施の形態においては、札押え１５の２つの嵌合孔１８を支持部材１３の２つの嵌合部１６に嵌合させることで札押え１５を支持部材１３に着脱自在に設けているが、これに限るものではなく、他の着脱機構でも良く、例えばネジ等で札押え１５を支持部材１３に着脱自在に設けても良い。
【００２９】
また、本実施の形態においては、札押え１５の２つの嵌合孔１８を嵌合させる２つの嵌合部１６を変えることで支持部材１３に対する札押え１５の取付位置を変更しているが、これに限るものではなく、例えば、ネジ等で札押え１５を支持部材１３に着脱自在に設ける場合には、支持部材１３に長手方向へライン状にネジ穴を設け、札押え１５を取り付けるために使用する２つのネジ穴を変えることで支持部材１３に対する札押え１５の取付位置を変更しても良い。また、支持部材１３に長手方向へライン状に溝を形成し、この溝に嵌合して摺動する摺動部に札押え１５を取り付けることで、その取付位置を変更するようにしても良く、この場合には、支持部材１３に対し着脱自在に札押え１５を設けなくても良い。
【００３０】
また、本実施の形態においては、手前側から奥側へ向かうに従い高くなるように形成された傾斜面１６ａを支持部材１３の嵌合部１６の先端に設けたり、手前側から奥側に向かうに従い高くなるように形成された傾斜面１９ａを上アーム部１９の先端の下部に設けたりしているが、これに限るものではなく、例えば傾斜面１６ａや傾斜面１９ａを設けなくても良い。
【００３１】
また、本実施の形態においては、支持部材１３を札ケース７に対し着脱自在に設けているが、これに限るものではなく、例えば仕切板１１の着脱を可能に固定して設けても良い。
【００３２】
【発明の効果】
本発明によれば、本体ケースに対する仕切板の仕切位置の変更に応じて支持部材に対する札押えの取付位置を変更することが可能になるので、紙幣等のサイズに適した紙幣収納部の収納スペースを確保することができ、かつ、紙幣収納部に収納された紙幣等を確実に押えることができ、また、支持部材１３に対する札押え１５の着脱を簡単に行うことができ、かつ、札押え１５の取付位置を簡単に変更することができる。
【図面の簡単な説明】
【図１】ドロワ装置をＥＣＲと共に概略的に示す外観斜視図である。
【図２】キャッシュボックスの構造を概略的に示す分解斜視図である。
【図３】本発明の実施の一形態のマネーケースの構造を概略的に示す分解斜視図である。
【図４】札押えを拡大して示す外観斜視図である。
【図５】札押えの取付構造を拡大して示す縦断側面図である。
【図６】従来のマネーケースの構造を概略的に示す外観斜視図である。
【符号の説明】
５…紙幣収納箱（マネーケース）、７…本体ケース（札ケース）、１０…紙幣収納部、１１…仕切板、１３…支持部材、１５…札押え、１６…嵌合部、１６ａ…傾斜面、１８…嵌合孔
【図１】
0003685456.tif 000002
【図２】
0003685456.tif 000003
【図３】
0003685456.tif 000004
【図４】
0003685456.tif 000005
【図５】
0003685456.tif 000006
【図６】
0003685456.tif 000007